(57)【要約】【課題】コンテンツの利用に制限を設けたコンテンツ表示装置及びプログラムを提供する。【解決手段】コンテンツ表示システム１００は、携帯端末１の利用者が交通機関を利用中であるか否かを判定する利用判定部１７と、利用判定部１７による判定結果に基づいて、コンテンツ記憶部２２に記憶されたコンテンツの出力を制御するコンテンツ制御部１８と、を備え、コンテンツ制御部１８は、交通機関を利用中であると判定された場合に、コンテンツをタッチパネルディスプレイ２５に出力させ、交通機関を利用中ではないと判定された場合に、コンテンツをタッチパネルディスプレイ２５に出力させないように制御する。【選択図】図１
2018082337.tif 000002
【特許請求の範囲】
【請求項１】
利用者が交通機関を利用中であるか否かを判定する利用判定手段と、
前記利用判定手段による判定結果に基づいて、コンテンツを記憶するコンテンツ記憶部に格納されたコンテンツの出力を制御するコンテンツ制御手段と、
を備えるコンテンツ表示装置。
【請求項２】
請求項１に記載のコンテンツ表示装置において、
前記交通機関を利用した目的地を取得する目的地取得手段と、
前記目的地取得手段により取得した目的地に基づいて、位置情報に関連付けられた前記コンテンツ記憶部のコンテンツから１つ以上の前記コンテンツを選定するコンテンツ内容選定手段と、
を備え、
前記コンテンツ制御手段は、前記コンテンツ内容選定手段により選定された前記１つ以上のコンテンツの出力を制御すること、
を特徴とするコンテンツ表示装置。
【請求項３】
請求項１又は請求項２に記載のコンテンツ表示装置において、
前記利用者による前記交通機関の推定利用時間を取得する時間取得手段と、
前記時間取得手段により取得した推定利用時間に基づいて、平均利用時間に関連付けられた前記コンテンツ記憶部のコンテンツから１つ以上の前記コンテンツを選定するコンテンツ時間選定手段と、
を備え、
前記コンテンツ制御手段は、前記コンテンツ時間選定手段により選定された前記１つ以上のコンテンツの出力を制御すること、
を特徴とするコンテンツ表示装置。
【請求項４】
請求項１から請求項３までのいずれかに記載のコンテンツ表示装置において、
利用者による交通機関の利用に関する利用履歴情報を記憶する利用履歴記憶部を備え、
前記コンテンツ制御手段は、前記利用履歴記憶部に記憶された前記利用履歴情報に基づいて選定された前記コンテンツの出力を制御すること、
を特徴とするコンテンツ表示装置。
【請求項５】
請求項１から請求項４までのいずれかに記載のコンテンツ表示装置において、
現在時刻と予測利用時間及び／又は取得した移動速度から移動情報を算出する移動情報算出手段を備え、
前記利用判定手段は、前記移動情報算出手段により算出された前記移動情報に基づいて前記利用者が交通機関を利用中であるか否かを判定すること、
を特徴とするコンテンツ表示装置。
【請求項６】
請求項１から請求項５までのいずれかに記載のコンテンツ表示装置において、
前記コンテンツ制御手段により前記コンテンツを出力した表示時間及び表示量の少なくとも一方を、ログ情報として取得するログ取得手段と、
前記ログ取得手段により取得した前記ログ情報を分析するログ分析手段と、
を備え、
前記コンテンツ制御手段は、前記ログ分析手段による分析結果に基づく量の前記コンテンツの出力を制御すること、
を特徴とするコンテンツ表示装置。
【請求項７】
請求項１から請求項６までのいずれかに記載のコンテンツ表示装置において、
前記利用者に関する属性情報を記憶する属性情報記憶部と、
前記利用者の属性情報に基づいて、属性情報に関連付けられた前記コンテンツ記憶部のコンテンツから１つ以上の前記コンテンツを選定するコンテンツ属性選定手段と、
を備え、
前記コンテンツ制御手段は、前記コンテンツ属性選定手段により選定された前記１つ以上のコンテンツの出力を制御すること、
を特徴とするコンテンツ表示装置。
【請求項８】
請求項１から請求項７までのいずれかに記載のコンテンツ表示装置において、
電波発信機が発信した前記電波発信機を識別する発信機識別情報を含む電波を受信する電波受信手段を備え、
前記利用判定手段は、前記電波受信手段が受信した前記電波の発信機識別情報に基づいて、交通機関を利用中であるか否かを判定すること、
を特徴とするコンテンツ表示装置。
【請求項９】
請求項８に記載のコンテンツ表示装置において、
前記発信機識別情報に基づいて、車両を特定する車両特定手段と、
前記車両特定手段により特定された車両に基づいて、車両に関連付けられた前記コンテンツ記憶部のコンテンツから１つ以上の前記コンテンツを選定する乗車位置コンテンツ選定手段と、
を備え、
前記コンテンツ制御手段は、前記乗車位置コンテンツ選定手段により選定された前記１つ以上のコンテンツの出力を制御すること、
を特徴とするコンテンツ表示装置。
【請求項１０】
請求項１から請求項７までのいずれかに記載のコンテンツ表示装置において、
前記利用判定手段は、前記交通機関に備える入場ゲートを通過したか否かを検知して前記交通機関を利用中であるか否かを判定すること、
を特徴とするコンテンツ表示装置。
【請求項１１】
請求項１から請求項１０までのいずれかに記載のコンテンツ表示装置において、
前記コンテンツ記憶部は、コンテンツサーバより受信したコンテンツを記憶すること、
を特徴とするコンテンツ表示装置。
【請求項１２】
請求項１から請求項１１までのいずれかに記載のコンテンツ表示装置として、コンピュータを機能させるためのプログラム。
【発明の詳細な説明】
【技術分野】
【０００１】
本発明は、コンテンツ表示装置及びプログラムに関する。
【背景技術】
【０００２】
従来、列車内で携帯電話にコンテンツを配信することができるシステムが開示されている（例えば、特許文献１）。
【先行技術文献】
【特許文献】
【０００３】
【特許文献１】特開２０１１−１６４８１７号公報
【発明の概要】
【発明が解決しようとする課題】
【０００４】
特許文献１に記載のものは、携帯電話に一度コンテンツが配信されると、携帯電話の利用者は、そのコンテンツをいつでも見ることができるものであった。
【０００５】
本発明は、コンテンツの利用に制限を設けたコンテンツ表示装置及びプログラムを提供することを目的とする。
【課題を解決するための手段】
【０００６】
本発明は、以下のような解決手段により、前記課題を解決する。
第１の発明は、利用者が交通機関を利用中であるか否かを判定する利用判定手段と、前記利用判定手段による判定結果に基づいて、コンテンツを記憶するコンテンツ記憶部に格納されたコンテンツの出力を制御するコンテンツ制御手段と、を備えるコンテンツ表示装置である。
第２の発明は、第１の発明のコンテンツ表示装置において、前記交通機関を利用した目的地を取得する目的地取得手段と、前記目的地取得手段により取得した目的地に基づいて、位置情報に関連付けられた前記コンテンツ記憶部のコンテンツから１つ以上の前記コンテンツを選定するコンテンツ内容選定手段と、を備え、前記コンテンツ制御手段は、前記コンテンツ内容選定手段により選定された前記１つ以上のコンテンツの出力を制御すること、を特徴とするコンテンツ表示装置である。
第３の発明は、第１の発明又は第２の発明のコンテンツ表示装置において、前記利用者による前記交通機関の推定利用時間を取得する時間取得手段と、前記時間取得手段により取得した推定利用時間に基づいて、平均利用時間に関連付けられた前記コンテンツ記憶部のコンテンツから１つ以上の前記コンテンツを選定するコンテンツ時間選定手段と、を備え、前記コンテンツ制御手段は、前記コンテンツ時間選定手段により選定された前記１つ以上のコンテンツの出力を制御すること、を特徴とするコンテンツ表示装置である。
第４の発明は、第１の発明から第３の発明までのいずれかのコンテンツ表示装置において、利用者による交通機関の利用に関する利用履歴情報を記憶する利用履歴記憶部を備え、前記コンテンツ制御手段は、前記利用履歴記憶部に記憶された前記利用履歴情報に基づいて選定された前記コンテンツの出力を制御すること、を特徴とするコンテンツ表示装置である。
第５の発明は、第１の発明から第４の発明までのいずれかのコンテンツ表示装置において、現在時刻と予測利用時間及び／又は取得した移動速度から移動情報を算出する移動情報算出手段を備え、前記利用判定手段は、前記移動情報算出手段により算出された前記移動情報に基づいて前記利用者が交通機関を利用中であるか否かを判定すること、を特徴とするコンテンツ表示装置である。
第６の発明は、第１の発明から第５の発明までのいずれかのコンテンツ表示装置において、前記コンテンツ制御手段により前記コンテンツを出力した表示時間及び表示量の少なくとも一方を、ログ情報として取得するログ取得手段と、前記ログ取得手段により取得した前記ログ情報を分析するログ分析手段と、を備え、前記コンテンツ制御手段は、前記ログ分析手段による分析結果に基づく量の前記コンテンツの出力を制御すること、を特徴とするコンテンツ表示装置である。
第７の発明は、第１の発明から第６の発明までのいずれかのコンテンツ表示装置において、前記利用者に関する属性情報を記憶する属性情報記憶部と、前記利用者の属性情報に基づいて、属性情報に関連付けられた前記コンテンツ記憶部のコンテンツから１つ以上の前記コンテンツを選定するコンテンツ属性選定手段と、を備え、前記コンテンツ制御手段は、前記コンテンツ属性選定手段により選定された前記１つ以上のコンテンツの出力を制御すること、を特徴とするコンテンツ表示装置である。
第８の発明は、第１の発明から第７の発明までのいずれかのコンテンツ表示装置において、電波発信機が発信した前記電波発信機を識別する発信機識別情報を含む電波を受信する電波受信手段を備え、前記利用判定手段は、前記電波受信手段が受信した前記電波の発信機識別情報に基づいて、交通機関を利用中であるか否かを判定すること、を特徴とするコンテンツ表示装置である。
第９の発明は、第８の発明のコンテンツ表示装置において、前記発信機識別情報に基づいて、車両を特定する車両特定手段と、前記車両特定手段により特定された車両に基づいて、車両に関連付けられた前記コンテンツ記憶部のコンテンツから１つ以上の前記コンテンツを選定する乗車位置コンテンツ選定手段と、を備え、前記コンテンツ制御手段は、前記乗車位置コンテンツ選定手段により選定された前記１つ以上のコンテンツの出力を制御すること、を特徴とするコンテンツ表示装置ある。
第１０の発明は、第１の発明から第７の発明までのいずれかのコンテンツ表示装置において、前記利用判定手段は、前記交通機関に備える入場ゲートを通過したか否かを検知して前記交通機関を利用中であるか否かを判定すること、を特徴とするコンテンツ表示装置である。
第１１の発明は、第１の発明から第１０の発明までのいずれかのコンテンツ表示装置において、前記コンテンツ記憶部は、コンテンツサーバより受信したコンテンツを記憶すること、を特徴とするコンテンツ表示装置である。
第１２の発明は、第１の発明から第１１の発明までのいずれかのコンテンツ表示装置として、コンピュータを機能させるためのプログラムである。
【発明の効果】
【０００７】
本発明によればコンテンツの利用に制限を設けたコンテンツ表示装置及びプログラムを提供することができる。
【図面の簡単な説明】
【０００８】
【図１】第１実施形態に係るコンテンツ表示システムの全体概要図である。
【図２】第１実施形態に係る携帯端末の機能ブロック図である。
【図３】第１実施形態に係るコンテンツ管理サーバの機能ブロック図である。
【図４】第１実施形態に係るビーコン端末の機能ブロック図である。
【図５】第１実施形態に係るコンテンツ表示システムのコンテンツ表示処理を示すフローチャートである。
【図６】第１実施形態に係るコンテンツ表示システムのコンテンツ表示処理を示すフローチャートである。
【図７】第１実施形態に係る携帯端末での表示例を示す図である。
【図８】第１実施形態に係るコンテンツ管理サーバのコンテンツ選定処理を示すフローチャートである。
【図９】第２実施形態に係るコンテンツ表示システムの全体概要図である。
【図１０】第２実施形態に係る携帯端末の機能ブロック図である。
【図１１】第２実施形態に係るコンテンツ管理サーバ及び読書装置の機能ブロック図である。
【図１２】第２実施形態に係るコンテンツ表示システムのコンテンツ表示処理を示すフローチャートである。
【図１３】第２実施形態に係るコンテンツ管理サーバのコンテンツ選定処理を示すフローチャートである。
【図１４】第３実施形態に係るコンテンツ表示システムの全体概要図である。
【図１５】第３実施形態に係る携帯端末及びコンテンツ管理サーバの機能ブロック図である。
【図１６】第３実施形態に係るコンテンツ表示システムのコンテンツ表示処理を示すフローチャートである。
【図１７】第３実施形態に係るコンテンツ表示システムのコンテンツ表示処理を示すフローチャートである。
【図１８】第３実施形態に係るコンテンツ管理サーバのコンテンツ選定処理を示すフローチャートである。
【発明を実施するための形態】
【０００９】
以下、本発明を実施するための形態について、図を参照しながら説明する。なお、これは、あくまでも一例であって、本発明の技術的範囲はこれに限られるものではない。
（第１実施形態）
＜コンテンツ表示システム１００の全体構成＞
図１は、第１実施形態に係るコンテンツ表示システム１００の全体概要図である。
図２は、第１実施形態に係る携帯端末１の機能ブロック図である。
図３は、第１実施形態に係るコンテンツ管理サーバ４の機能ブロック図である。
図４は、第１実施形態に係るビーコン端末６及び７の機能ブロック図である。
【００１０】
図１に示すように、コンテンツ表示システム１００は、携帯端末１（コンテンツ表示装置）と、コンテンツ管理サーバ４と、電車Ｔ１（交通機関）の車内に設けられたビーコン端末６（電波発信機）と、駅構内Ｒに設けられたビーコン端末７とを備える。
コンテンツ表示システム１００では、携帯端末１を携行するユーザ（利用者）が電車Ｔ１を利用すると、コンテンツ管理サーバ４が携帯端末１にコンテンツを配信する。そして、電車Ｔ１を利用している間、携帯端末１は、配信されたコンテンツを表示することができる。また、ユーザが電車Ｔ１から降りると、携帯端末１は、表示していたコンテンツを非表示にする。このような制御を行うことで、コンテンツ表示システム１００は、ユーザが電車Ｔ１を利用している間だけ、携帯端末１にコンテンツを表示させる。
ここで、コンテンツは、マンガ、小説、雑誌等に関するものや、ガイドブック、パンフレットのような電子コンテンツを含む。
【００１１】
携帯端末１と、コンテンツ管理サーバ４とは、基地局Ｂ及び通信ネットワークＮを介して通信可能に接続される。また、携帯端末１は、ビーコン端末６及びビーコン端末７からの電波を受信可能になっている。
基地局Ｂは、無線通信の基地局であって、携帯端末１がコンテンツ管理サーバ４との間の通信をするための中継を行う。基地局Ｂは、例えば、無線ＬＡＮ（Ｌｏｃａｌ  Ａｒｅａ  Ｎｅｔｗｏｒｋ）の基地局や、通信事業者の携帯端末通信網用の基地局である。
通信ネットワークＮは、コンテンツ管理サーバ４と基地局Ｂとの間のネットワークであり、例えば、インターネット回線や携帯端末通信網等である。
【００１２】
次に、各装置の構成について説明する。
＜携帯端末１＞
携帯端末１は、例えば、スマートフォンに代表されるコンピュータの機能を併せ持った携帯電話機等である。携帯端末１は、その他、タブレット端末等の携帯型の端末であってもよい。
携帯端末１は、ビーコン端末６及びビーコン端末７との間で、例えば、Ｂｌｕｅｔｏｏｔｈ（登録商標）による近距離無線通信を行うことができる。
【００１３】
図２に示すように、携帯端末１は、制御部１０と、記憶部２０と、タッチパネルディスプレイ２５（表示部）と、Ｂｌｕｅｔｏｏｔｈアンテナ２６と、通信インタフェース部２９とを備える。その他、携帯端末１は、スピーカや、振動を起こすためのバイブレータ部等を備えてもよい。
制御部１０は、携帯端末１の全体を制御する中央処理装置（ＣＰＵ）である。制御部１０は、記憶部２０に記憶されているオペレーティングシステム（ＯＳ）やアプリケーションプログラムを適宜読み出して実行することにより、上述したハードウェアと協働し、各種機能を実行する。
制御部１０は、電波受信部１１（電波受信手段）と、目的地情報受付部１２（目的地取得手段）と、情報送信部１３と、コンテンツ受信部１４と、利用判定部１７（利用判定手段）と、コンテンツ制御部１８（コンテンツ制御手段）と、ログ情報送信部１９とを備える。
【００１４】
電波受信部１１は、Ｂｌｕｅｔｏｏｔｈアンテナ２６を介してビーコン端末６及びビーコン端末７が発信する電波（以下、ビーコン電波ともいう。）を受信する。
目的地情報受付部１２は、タッチパネルディスプレイ２５を介してユーザにより入力された目的地情報を受け付ける。目的地情報とは、例えば、ユーザが電車Ｔ１に乗って向かう降車駅の名称をいう。
情報送信部１３は、コンテンツ管理サーバ４に対して、コンテンツを選定するために必要な各種の情報を送信する。各種の情報は、例えば、ユーザを識別するユーザＩＤ（ＩＤｅｎｔｉｆｉｃａｔｉｏｎ）や、受け付けた目的地情報、ビーコン端末６及びビーコン端末７によるビーコン電波に含まれるビーコンＩＤ（発信機識別情報）である。
コンテンツ受信部１４は、コンテンツ管理サーバ４からコンテンツを受信する。
【００１５】
利用判定部１７は、ユーザが電車Ｔ１を利用しているか否かによって、コンテンツをタッチパネルディスプレイ２５に表示させるか否かを判定する。そして、利用判定部１７は、ユーザが電車Ｔ１を利用していると判定した場合に、コンテンツを表示させると判定する。
コンテンツ制御部１８は、利用判定部１７による判定結果に応じて、コンテンツをタッチパネルディスプレイ２５に表示させ、又は、コンテンツを非表示にする制御を行う。
ログ情報送信部１９は、電車Ｔ１を利用していた時間と、コンテンツをタッチパネルディスプレイ２５に表示させた時間である表示時間と、コンテンツを表示させた量である表示量と、コンテンツ名とをログ情報として、コンテンツ管理サーバ４に対して送信する。なお、表示量は、コンテンツを表示した、例えば、ページに関する情報等である。
【００１６】
記憶部２０は、制御部１０が各種の処理を実行するために必要なプログラム、データ等を記憶するための半導体メモリ素子等の記憶領域である。
記憶部２０は、プログラム記憶部２１と、コンテンツ記憶部２２とを備える。
プログラム記憶部２１は、各種のプログラムを記憶する記憶領域である。プログラム記憶部２１は、表示プログラム２１ａ（プログラム）を記憶している。表示プログラム２１ａは、携帯端末１の制御部１０が実行する各種機能を実行するためのプログラムである。表示プログラム２１ａは、例えば、インターネット上のＷｅｂサイトからダウンロードして、予め携帯端末１にインストールされている。
コンテンツ記憶部２２は、コンテンツ管理サーバ４から受信したコンテンツを記憶する記憶領域である。
【００１７】
タッチパネルディスプレイ２５は、液晶パネル等で構成される表示部としての機能と、ユーザからの指等によるタッチ入力を検出する入力部としての機能とを有する。
Ｂｌｕｅｔｏｏｔｈアンテナ２６は、ビーコン端末６及びビーコン端末７との間でＢｌｕｅｔｏｏｔｈ規格に基づいた短距離無線通信が可能である。Ｂｌｕｅｔｏｏｔｈアンテナ２６は、受信したビーコン電波を、電波受信部１１に送る。
通信インタフェース部２９は、基地局Ｂ及び通信ネットワークＮを介して、コンテンツ管理サーバ４との間で通信を行うためのインタフェースである。
なお、コンピュータとは、制御部、記憶装置等を備えた情報処理装置をいい、携帯端末１は、制御部１０、記憶部２０等を備えた情報処理装置であり、コンピュータの概念に含まれる。
【００１８】
＜コンテンツ管理サーバ４＞
図１に戻り、コンテンツ管理サーバ４は、携帯端末１から受信した各種の情報に基づいてコンテンツを選定し、携帯端末１に対して選定したコンテンツを送信する。また、コンテンツ管理サーバ４は、携帯端末１から受信したログ情報を記憶し、以降のコンテンツ選定に使用する。
図３に示すように、コンテンツ管理サーバ４は、制御部４０と、記憶部５０と、通信インタフェース部５９とを備える。
制御部４０は、コンテンツ管理サーバ４の全体を制御するＣＰＵである。制御部４０は、記憶部５０に記憶されているＯＳやアプリケーションプログラムを適宜読み出して実行することにより、上述したハードウェアと協働し、各種機能を実行する。
制御部４０は、情報受信部４１と、コンテンツ選定部４２（コンテンツ内容選定手段、時間取得手段、コンテンツ時間選定手段、コンテンツ属性選定手段）と、コンテンツ送信部４３と、ログ情報受信部４５（ログ取得手段）と、ログ情報分析部４６（ログ分析手段）とを備える。
【００１９】
情報受信部４１は、携帯端末１から上述した各種の情報を受信する。
コンテンツ選定部４２は、携帯端末１から受信した各種の情報に基づいて、コンテンツＤＢ（データベース）５１（コンテンツ記憶部）に記憶されている複数のコンテンツから、コンテンツを１つ以上選択する。
ここで、コンテンツ選定部４２は、ユーザのログ情報を分析した分析結果に基づいて、コンテンツを決定してもよい。また、コンテンツ選定部４２は、ユーザの属性情報に基づいて、コンテンツを決定してもよい。さらに、コンテンツ選定部４２は、目的地情報に基づいて、コンテンツを決定してもよい。
そして、コンテンツ選定部４２は、ビーコン端末７のビーコンＩＤと、目的地情報とから、出発地から目的地までに要する時間である推定利用時間を算出（取得）し、推定利用時間に対応した量のコンテンツを選定してもよい。
【００２０】
コンテンツ送信部４３は、コンテンツ選定部４２によって選定されたコンテンツを、携帯端末１に送信する。
ログ情報受信部４５は、携帯端末１からログ情報を受信する。
ログ情報分析部４６は、ログ情報受信部４５により受信したログ情報を分析する。ログ情報分析部４６は、ユーザＩＤごとにログ情報を分析し、ユーザごとにコンテンツの選定が適切であったか否かを判断する。
なお、ログ情報分析部４６は、ユーザごとではなく、複数のユーザのログ情報を分析してもよいし、さらに、属性情報が合致するユーザのログ情報を分析してもよい。
そして、ログ情報分析部４６は、配信したコンテンツが適切であるか否かを、コンテンツの内容と量との両面から判断してもよい。
【００２１】
記憶部５０は、制御部４０が各種の処理を実行するために必要なプログラム、データ等を記憶するためのハードディスク、半導体メモリ素子等の記憶領域である。
記憶部５０は、コンテンツＤＢ５１と、ユーザ情報記憶部５２（属性情報記憶部）と、ビーコン記憶部５３と、ログ情報記憶部５４とを備える。
コンテンツＤＢ５１は、コンテンツを記憶する記憶領域である。コンテンツＤＢ５１は、様々な内容かつ量のコンテンツを記憶している。コンテンツＤＢ５１は、コンテンツを、位置情報（目的地情報等）に関連付けて記憶してもよい。また、コンテンツＤＢ５１は、コンテンツを、平均利用時間に関連付けて記憶してもよい。さらに、コンテンツＤＢ５１は、属性情報に関連付けて記憶してもよい。
ユーザ情報記憶部５２は、ユーザごとの属性情報を記憶する記憶領域である。ユーザ情報記憶部５２は、ユーザＩＤをキーとして、属性情報を記憶している。属性情報は、例えば、年齢、性別、職業や、興味のある分野等である。
【００２２】
ビーコン記憶部５３は、ビーコン端末６及びビーコン端末７に関する情報を記憶する記憶領域である。ビーコン記憶部５３は、ビーコンＩＤをキーとして、ビーコン端末６及びビーコン端末７の設置位置に関する情報を記憶する。設置位置に関する情報とは、ビーコン端末７であれば、例えば、設置されている駅構内Ｒの駅名である。また、ビーコン端末６であれば、例えば、電車Ｔ１等の乗物の名称である。
ログ情報記憶部５４は、ログ情報を記憶する記憶領域である。ログ情報記憶部５４は、携帯端末１から受信したログ情報を記憶する。
通信インタフェース部５９は、通信ネットワークＮを介して、携帯端末１との間で通信を行うためのインタフェース部である。
【００２３】
＜ビーコン端末６，７＞
図１に戻り、ビーコン端末６は、電車Ｔ１の車中に設置する端末である。また、ビーコン端末７は、駅構内Ｒに設置する端末である。
図４（Ａ）に示すように、ビーコン端末６は、制御部６０と、記憶部６５と、電波送出部６７とを備える。
制御部６０は、ビーコン端末６の全体を制御するＣＰＵである。制御部６０は、記憶部６５に記憶されているＯＳやアプリケーションプログラムを適宜読み出して実行することにより、上述したハードウェアと協働し、各種機能を実行する。
記憶部６５は、制御部６０が各種の処理を実行するために必要なプログラム、データ等を記憶するための半導体メモリ素子等の記憶領域である。記憶部６５は、ビーコンＩＤを記憶している。
電波送出部６７は、ビーコンＩＤを含む電波を送出する。電波送出部６７は、制御部６０の制御によって、例えば、ビーコン端末６を中心とした半径約１０ｍ以内に、携帯端末１が存在していれば、その携帯端末１で受信可能な電波を送出する。
【００２４】
また、ビーコン端末７は、図４（Ｂ）に示すように、制御部７０と、記憶部７５と、電波送出部７７とを備える。
制御部７０、記憶部７５及び電波送出部７７は、ビーコン端末６の制御部６０、記憶部６５及び電波送出部６７と同様であるので、その説明を省略する。
【００２５】
＜処理の説明＞
次に、コンテンツ表示システム１００による処理について説明する。
図５及び図６は、第１実施形態に係るコンテンツ表示システム１００のコンテンツ表示処理を示すフローチャートである。
図７は、第１実施形態に係る携帯端末１での表示例を示す図である。
図８は、第１実施形態に係るコンテンツ管理サーバ４のコンテンツ選定処理を示すフローチャートである。
事前処理として、携帯端末１には、表示プログラム２１ａがインストールされている。
また、ユーザ情報記憶部５２は、ユーザの属性情報が記憶されている。具体的には、例えば、表示プログラム２１ａをインストール後に表示される初期設定画面（図示せず）に対して、ユーザが、自身の属性情報を入力する。そうすることで、携帯端末１の制御部１０は、ユーザが入力した属性情報を受け付け、コンテンツ管理サーバ４に送信する。コンテンツ管理サーバ４の制御部４０は、属性情報を受信して、ユーザ情報記憶部５２に記憶させる。
【００２６】
まず、例えば、携帯端末１のタッチパネルディスプレイ２５に表示された表示プログラム２１ａを起動させるためのアイコン（図示せず）を、ユーザがタッチ操作によって選択することで、図５のＳ１０において、携帯端末１の制御部１０は、表示プログラム２１ａを起動させる。
起動後に、携帯端末１を携行するユーザが、駅構内Ｒに入ることで、携帯端末１がビーコン端末７のビーコン電波の受信範囲に入り、Ｓ１１において、制御部１０（電波受信部１１）は、ビーコン端末７が発信する電波を受信する。
なお、携帯端末１の制御部１０（電波受信部１１）は、ビーコン端末７が発信する電波を受信することで、Ｓ１０に示したような操作をユーザが自ら行わなくても、表示プログラム２１ａを自動的に起動させてもよい。
【００２７】
Ｓ１２において、制御部１０は、目的地入力画面８０を、タッチパネルディスプレイ２５に出力する。目的地入力画面８０は、図７（Ａ）に示すように、ユーザに対して目的地情報を入力させるための画面である。その際、制御部１０は、出力したことに応じて、スピーカから音を出力させたり、振動を生じさせたりして、ユーザに報知し、入力を促すようにしてもよい。
そこで、ユーザは、目的地入力画面８０を用いて目的地情報を入力することで、Ｓ１３において、制御部１０（目的地情報受付部１２）は、目的地情報を受け付ける。
その後、ユーザは、目的の電車Ｔ１に乗るために移動し、電車Ｔ１に乗る。ユーザが電車Ｔ１に乗ることで、携帯端末１は、ビーコン端末６が発信した電波を受信することができる。
【００２８】
Ｓ１４において、制御部１０（電波受信部１１）は、ビーコン端末６によるビーコン電波を受信したか否かを判断する。ビーコン電波を受信した場合（Ｓ１４：ＹＥＳ）には、制御部１０は、処理をＳ１５に移す。他方、ビーコン電波を受信していない場合（Ｓ１４：ＮＯ）には、制御部１０は、ビーコン端末６によるビーコン電波を受信するまで、本処理に留まる。
Ｓ１５において、制御部１０（情報送信部１３）は、各種の情報を、コンテンツ管理サーバ４に対して送信する。各種の情報は、上述したように、例えば、ユーザＩＤ、ビーコン端末６及び７のビーコンＩＤ及び目的地情報である。その後、制御部１０は、処理を図６のＳ１７に移す。
【００２９】
Ｓ３０において、コンテンツ管理サーバ４の制御部４０（情報受信部４１）は、携帯端末１が送信した各種の情報を受信する。
Ｓ３１において、制御部４０（コンテンツ選定部４２）は、コンテンツ選定処理を行う。
ここで、コンテンツ選定処理について、図８に基づき説明する。
図８のＳ４０において、制御部４０は、受信した各種の情報に含まれるユーザＩＤを含むログ情報を、ログ情報記憶部５４から抽出する。
【００３０】
Ｓ４１において、制御部４０（ログ情報分析部４６）は、抽出したログ情報を分析し、分析結果を生成する。ここで生成される分析結果は、例えば、過去にこのユーザに配信したコンテンツの内容や量が適切であったか否かに関するものである。
Ｓ４２において、制御部４０は、受信した各種の情報に含まれるビーコン端末７のビーコンＩＤに基づいて、ビーコン記憶部５３を参照して出発地情報を得る。そして、制御部４０は、出発地情報と、受信した各種の情報に含まれる目的地情報とから、電車Ｔ１の予想乗車時間（推定利用時間）を算出する。
Ｓ４３において、制御部４０は、受信した各種の情報に含まれるユーザＩＤに基づいて、ユーザ情報記憶部５２を参照し、属性情報を取得する。
【００３１】
Ｓ４４において、制御部４０は、ログ情報の分析結果、予想乗車時間、目的地情報及び属性情報に基づいて、コンテンツＤＢ５１から１つ以上のコンテンツを選定する。具体的には、例えば、制御部４０は、ログ情報の分析結果として、算出した予想乗車時間と、実際の乗車時間との隔たりや、実際の乗車時間に対する実際にコンテンツを表示した時間の割合、表示したコンテンツの量等に基づいて、コンテンツを選定する。ここで、表示時間の割合が小さかったり、表示したコンテンツの量が少なかったりした場合には、選定するコンテンツを、時間及び量の少ないものにしてもよい。また、制御部４０は、選定するコンテンツの内容を、目的地情報と、属性情報とに基づいて選定してもよい。例えば、目的地情報が京都の場合には、制御部４０は、京都を舞台にした小説や、京都のガイドブックを選定してもよい。また、例えば、属性情報が２０代女性の場合には、制御部４０は、グルメやビューティに関連するコンテンツにし、属性情報が６０代男性の場合には、制御部４０は、神社仏閣や歴史に関連するコンテンツを選定してもよい。その後、制御部４０は、本処理を終了し、処理を図５に移す。
【００３２】
図５に戻り、Ｓ３２において、制御部４０（コンテンツ送信部４３）は、選定したコンテンツを、携帯端末１に送信する。制御部４０は、選定したコンテンツの全てのデータを、一度に携帯端末１に送信してもよい。また、制御部４０は、選定したコンテンツのうち１ページ分等、データを分割し、分割したデータ単位で携帯端末１に送信してもよい。データ単位で送信した場合には、制御部４０は、携帯端末１から次のデータの要求を受けた都度、データを送信してもよい。その後、制御部４０は、処理を図６のＳ３４に移す。
【００３３】
図６のＳ１７において、携帯端末１の制御部１０（コンテンツ受信部１４）は、コンテンツを受信する。そして、制御部１０は、受信したコンテンツを、コンテンツ記憶部２２に記憶させる。
Ｓ１８において、制御部１０（電波受信部１１、利用判定部１７）は、ビーコン端末６のビーコン電波を受信中であるか否かを判断する。ビーコン電波を受信中である場合（Ｓ１８：ＹＥＳ）には、制御部１０は、処理をＳ１９に移す。他方、ビーコン電波を受信していない場合（Ｓ１８：ＮＯ）には、制御部１０は、処理をＳ２０に移す。
Ｓ１９において、制御部１０（コンテンツ制御部１８）は、コンテンツ記憶部２２に記憶されたコンテンツを、タッチパネルディスプレイ２５に対して出力する。この処理により、携帯端末１のタッチパネルディスプレイ２５には、コンテンツが表示される。その後、制御部１０は、処理をＳ１８に移す。
【００３４】
Ｓ２０において、制御部１０（コンテンツ制御部１８）は、タッチパネルディスプレイ２５に対してコンテンツを出力しないように制御する。制御部１０は、タッチパネルディスプレイ２５に対してコンテンツを出力していた場合には、その出力をしないように制御する。また、制御部１０は、タッチパネルディスプレイ２５に対してコンテンツを出力していない場合には、特段の処理を行わない。
Ｓ２１において、制御部１０は、コンテンツの表示時間と、コンテンツの表示量とを算出する。また、制御部１０は、ビーコン端末６のビーコン電波を受信していた間の時間を、実際の乗車時間として算出する。次に、これらの情報を含むログ情報を生成する。そして、制御部１０（ログ情報送信部１９）は、生成したログ情報を、コンテンツ管理サーバ４に対して送信する。その後、制御部１０は、処理をＳ２２に移す。
【００３５】
Ｓ３４において、コンテンツ管理サーバ４の制御部４０（ログ情報受信部４５）は、携帯端末１が送信したログ情報を受信する。
Ｓ３５において、制御部４０は、受信したログ情報を、ログ情報記憶部５４に記憶させる。その後、制御部４０は、本処理を終了する。
【００３６】
Ｓ２２において、制御部１０は、図７（Ｂ）に示すような課金画面８２を、タッチパネルディスプレイ２５に出力する。課金画面８２は、ユーザに対して課金するか否かを問い合わせるための画面である。ここで、このコンテンツ表示システム１００では、課金がされることで、非表示にしたコンテンツを再度表示することを可能にしている。
そこで、ユーザは、課金画面８２を用いて課金をすることを選択するか否かによって、Ｓ２３において、制御部１０は、課金がされたか否かを判断する。ここで、制御部１０は、実際に課金がされたことを確認したことで、課金がされたと判断してもよいし、課金の意思表示がされたことで、課金がされたと判断してもよい。課金がされた場合（Ｓ２３：ＹＥＳ）には、制御部１０は、処理をＳ２４に移す。他方、課金がされていない場合（Ｓ２３：ＮＯ）には、制御部１０は、本処理を終了する。
Ｓ２４において、制御部１０（コンテンツ制御部１８）は、コンテンツ記憶部２２に記憶されたコンテンツを、タッチパネルディスプレイ２５に対して出力する。この処理により、携帯端末１のタッチパネルディスプレイ２５には、非表示になっていたコンテンツが、再度表示される。その後、制御部１０は、本処理を終了する。
【００３７】
このように、第１実施形態のコンテンツ表示システム１００によれば、以下のような効果がある。
（１）携帯端末１を携行するユーザが電車Ｔ１を利用している間は、携帯端末１にコンテンツを表示し、電車Ｔ１を利用しなくなると、携帯端末１に表示されていたコンテンツを非表示にする。よって、コンテンツの利用を、電車Ｔ１を利用中にのみ許可するので、コンテンツの利用に制限を書けることができる。そして、電車Ｔ１を利用している間という限定で、ユーザがコンテンツ見ることができる仕組みを構築できる。
（２）コンテンツは、乗車時間に応じたものにするので、適切な時間の長さのコンテンツを携帯端末１が表示できる。よって、ユーザが電車Ｔ１を利用している間に読み切れるようなコンテンツを提供できる。
（３）コンテンツの内容を、ユーザが電車Ｔ１を利用して向かう目的地に関連したものにするので、ユーザに対して有益なコンテンツを提供できる。
【００３８】
（４）携帯端末１でのコンテンツの表示に関するログ情報を取得して分析し、分析結果に基づく量のコンテンツを提供するので、各ユーザの視聴量に合ったコンテンツを提供できる。
（５）コンテンツの内容を、ユーザの属性情報に基づくものにするので、ユーザの嗜好を考慮した有益なコンテンツを提供できる。
（６）ユーザが電車Ｔ１を利用しているか否かを、ビーコン端末６からのビーコン電波を受信しているか否かによって判断するので、電波の受信有無を判断するという簡単な処理によって実現できる。また、電車Ｔ１にビーコン端末６を設置すればよく、システム構築も簡易である。
【００３９】
（第２実施形態）
第２実施形態では、リーダライタを利用してコンテンツを表示させるものを説明する。なお、以降の説明において、上述した第１実施形態と同様の機能を果たす部分には、同一の符号又は末尾に同一の符号を付して、重複する説明を適宜省略する。
＜コンテンツ表示システム２００の全体構成＞
図９は、第２実施形態に係るコンテンツ表示システム２００の全体概要図である。
図１０は、第２実施形態に係る携帯端末２０１の機能ブロック図である。
図１１は、第２実施形態に係るコンテンツ管理サーバ２０４及び読書装置２０６の機能ブロック図である。
【００４０】
図９に示すように、コンテンツ表示システム２００は、携帯端末２０１と、コンテンツ管理サーバ２０４と、バスＴ２（交通機関）の車内に設けられた読書装置２０６とを備える。
コンテンツ表示システム２００では、携帯端末２０１を携行するユーザがバスＴ２に乗車すると、コンテンツ管理サーバ２０４は、携帯端末２０１にコンテンツを配信する。そして、バスＴ２に乗車してから一定時間、携帯端末２０１は、配信されたコンテンツを表示することができる。そして、一定時間を経過すると、携帯端末２０１は、表示していたコンテンツを非表示にする。このような制御を行うことで、コンテンツ表示システム２００は、バスＴ２の利用中を含んで、携帯端末２０１にコンテンツを表示させる。
【００４１】
＜携帯端末２０１＞
図１０に示すように、携帯端末２０１は、制御部２１０と、記憶部２２０と、タッチパネルディスプレイ２５と、リーダライタ部２２７と、通信インタフェース部２９とを備える。
制御部２１０は、受信部２１１と、情報送信部２１３と、コンテンツ受信部１４と、２１５は、利用判定部２１７（利用判定手段）と、コンテンツ制御部１８と、ログ情報送信部１９とを備える。
【００４２】
受信部２１１は、リーダライタ部２２７を介して読書装置２０６からバスＴ２を識別するバスＩＤを受信する。
情報送信部２１３は、コンテンツ管理サーバ２０４に対して、コンテンツを選定するために必要な各種の情報を送信する。各種の情報は、例えば、ユーザＩＤとバスＩＤとである。
利用判定部２１７は、ユーザがバスＴ２に乗車してから一定時間内であるか否かによって、コンテンツをタッチパネルディスプレイ２５に表示させるか否かを判定する。そして、利用判定部２１７は、ユーザがバスＴ２に乗車してから一定時間内である場合に、コンテンツを表示させると判定する。
【００４３】
記憶部２２０は、プログラム記憶部２２１と、コンテンツ記憶部２２とを備える。プログラム記憶部２２１は、携帯端末２０１の制御部２１０が実行する各種機能を実行するための表示プログラム２２１ａを記憶している。
リーダライタ部２２７は、読書装置２０６との間で通信を行うためのアンテナ等を備える。
【００４４】
＜コンテンツ管理サーバ２０４＞
図１１（Ａ）に示すように、コンテンツ管理サーバ２０４は、制御部２４０と、記憶部２５０と、通信インタフェース部５９とを備える。
制御部２４０は、情報受信部２４１と、コンテンツ選定部２４２と、コンテンツ送信部４３と、ログ情報受信部４５と、ログ情報分析部４６とを備える。
情報受信部２４１は、携帯端末２０１から各種の情報を受信する。
コンテンツ選定部２４２は、携帯端末２０１から受信した各種の情報に基づいて、コンテンツＤＢ５１に記憶されている複数のコンテンツから、コンテンツを１つ以上選択する。
ここで、コンテンツ選定部２４２は、ユーザのログ情報を分析した分析結果に基づいて、コンテンツを決定してもよい。また、コンテンツ選定部２４２は、バスＩＤに基づいてコンテンツを決定してもよい。
【００４５】
記憶部２５０は、コンテンツＤＢ５１と、ユーザ情報記憶部５２と、ログ情報記憶部５４と、バス情報記憶部２５５とを備える。
バス情報記憶部２５５は、バスＩＤをキーとして、コンテンツの表示可能時間に関する時間情報を記憶する。時間情報は、バスＴ２の行先等によって異なるものであってよい。
【００４６】
＜読書装置２０６＞
読書装置２０６は、バスＴ２の乗車口付近に設けられ、リーダライタの機能を有する装置である。読書装置２０６は、バスＴ２の料金を支払うための支払装置の機能を兼ねるものであってもよい。
図１１（Ｂ）に示すように、読書装置２０６は、制御部２６０と、記憶部２６５と、リーダライタ部２６８とを備える。
制御部２６０は、読書装置２０６の全体を制御するＣＰＵである。制御部２６０は、記憶部２６５に記憶されているＯＳやアプリケーションプログラムを適宜読み出して実行することにより、上述したハードウェアと協働し、各種機能を実行する。
記憶部２６５は、制御部２６０が各種の処理を実行するために必要なプログラム、データ等を記憶するための半導体メモリ素子等の記憶領域である。記憶部２６５は、バスＩＤを記憶している。バスＩＤは、バスＴ２を識別可能な識別情報である。
リーダライタ部２６８は、携帯端末２０１との間で通信を行うためのアンテナ等を備える。
【００４７】
＜処理の説明＞
次に、コンテンツ表示システム１００による処理について説明する。
図１２は、第２実施形態に係るコンテンツ表示システム２００のコンテンツ表示処理を示すフローチャートである。
図１３は、第２実施形態に係るコンテンツ管理サーバ２０４のコンテンツ選定処理を示すフローチャートである。
図１２を始めるにあたっての事前処理及び図１２のＳ２１０の処理は、第１実施形態での説明及び図５のＳ１０の処理と同様である。
【００４８】
携帯端末２０１を携行するユーザがバスＴ２に乗り込んで、読書装置２０６に携帯端末２０１を近づける。そうすることで、Ｓ２１１において、携帯端末２０１の制御部２１０（受信部２１１）は、リーダライタ部２２７を介して読書装置２０６のバスＩＤを受信する。
なお、携帯端末２０１の制御部２１０（受信部２１１）は、リーダライタ部２２７を介して読書装置２０６のバスＩＤを受信することで、Ｓ２１０におけるユーザの操作を自ら行わずに、表示プログラム２２１ａを自動的に起動させてもよい。
また、携帯端末２０１に料金の支払い等が可能な電子マネー等のサービスの機能を有している場合には、制御部２１０は、バス料金の支払い処理と共に、バスＩＤの受信を行ってもよい。
【００４９】
Ｓ２１２において、制御部２１０（情報送信部２１３）は、各種の情報を、コンテンツ管理サーバ２０４に対して送信する。各種の情報は、例えば、ユーザＩＤ及びバスＩＤである。その後、制御部２１０は、処理をＳ２１４に移す。
Ｓ２３０において、コンテンツ管理サーバ２０４の制御部２４０（情報受信部２４１）は、携帯端末２０１が送信した各種の情報を受信する。
Ｓ２３１において、制御部２４０（コンテンツ選定部２４２）は、コンテンツ選定処理を行う。
【００５０】
ここで、コンテンツ選定処理について、図１３に基づき説明する。
図１３のＳ２４０において、制御部２４０は、受信した各種の情報に含まれるバスＩＤを含むログ情報を、ログ情報記憶部５４から抽出する。
Ｓ２４１において、制御部２４０（ログ情報分析部４６）は、抽出したログ情報を分析し、分析結果を生成する。ここで生成される分析結果は、例えば、過去にこのバスＩＤのバスＴ２を利用した各ユーザに対するコンテンツの内容や時間、量が適切であったか否かに関するものである。
Ｓ２４２において、制御部２４０は、ログ情報の分析結果に基づいて、コンテンツの表示可能時間及びコンテンツの量を決定する。
Ｓ２４３において、制御部２４０は、バス情報記憶部２５５の時間情報を、Ｓ２４２で決定した表示可能時間に変更する。
Ｓ２４４において、制御部２４０は、コンテンツＤＢ５１から決定したコンテンツの量に対応した１つ以上のコンテンツを選定する。その後、制御部２４０は、本処理を終了し、処理を図１２に移す。
【００５１】
図１２に戻り、Ｓ２３２において、制御部２４０は、選定したコンテンツを、表示可能時間と共に携帯端末２０１に送信する。その後、制御部２４０は、処理をＳ２３４に移す。
Ｓ２１４において、携帯端末２０１の制御部２１０（コンテンツ受信部１４）は、コンテンツを受信する。そして、制御部２１０は、受信したコンテンツを、コンテンツ記憶部２２に記憶させる。
Ｓ２１５において、制御部２１０（コンテンツ制御部１８）は、コンテンツ記憶部２２に記憶されたコンテンツを、タッチパネルディスプレイ２５に対して出力する。この処理により、携帯端末２０１のタッチパネルディスプレイ２５には、コンテンツが表示される。
【００５２】
Ｓ２１６において、制御部２１０（利用判定部２１７）は、受信した表示可能時間を経過したか否かを判断する。表示可能時間を経過した場合（Ｓ２１６：ＹＥＳ）には、制御部２１０は、処理をＳ２１７に移す。他方、表示可能時間を経過していない場合（Ｓ２１６：ＮＯ）には、制御部２１０は、Ｓ２１６の処理を繰り返す。
Ｓ２１７において、制御部２１０（コンテンツ制御部１８）は、タッチパネルディスプレイ２５に対してコンテンツを出力しないように制御する。
Ｓ２１８の処理並びにＳ２３４及びＳ２３５の処理は、第１実施形態（図６のＳ２１並びにＳ３４及びＳ３５の処理）と同様である。その後、携帯端末２０１の制御部２１０及びコンテンツ管理サーバ２０４の制御部２４０は、本処理を終了する。
なお、携帯端末２０１の制御部２１０は、第１実施形態と同様に、課金があった場合に非表示にしたコンテンツを再度表示させるようにしてもよい。
【００５３】
このように、第２実施形態のコンテンツ表示システム２００によれば、以下のような効果がある。
（１）携帯端末２０１は、バスＴ２の利用中を含んでコンテンツを表示させることができる。そして、バスＴ２のように、バスＴ２に乗車していることに関する判別を厳密に行うことが難しいような場合であっても、乗車したことを判別し、それから一定の表示可能時間内であれば、コンテンツを表示させるようにすることで、ほぼバスＴ２を利用している間にのみコンテンツを表示させることができる。
（２）コンテンツを表示できる表示可能時間を、ユーザのログ情報を用いて最適化できる。
（３）バスＴ２ごとにコンテンツを表示させる時間を有するようにすることで、バスＴ２の行先によって、異なるコンテンツを表示させることができる。
（４）バスＴ２に有する読書装置２０６を、バス料金の支払装置に兼ねることで、既にある装置を使って安価にシステム構築を行うことができる。
【００５４】
（第３実施形態）
第３実施形態では、携帯端末の位置に基づいてコンテンツの表示及び非表示を切り替えるものを説明する。
＜コンテンツ表示システム３００＞
図１４は、第３実施形態に係るコンテンツ表示システム３００の全体概要図である。
図１５は、第３実施形態に係る携帯端末３０１及びコンテンツ管理サーバ３０４の機能ブロック図である。
図１４示すように、コンテンツ表示システム３００は、携帯端末３０１と、コンテンツ管理サーバ３０４とを備える。
コンテンツ表示システム３００は、携帯端末３０１の位置に基づいて、コンテンツ管理サーバ３０４が携帯端末３０１に位置に基づいたコンテンツを配信する。そして、携帯端末３０１は、その位置にある限りにおいて、配信されたコンテンツを表示することができる。このような制御を行うことで、コンテンツ表示システム３００は、ユーザが、例えば、特定の位置付近にいる場合や、アトラクションの利用を待っている間等に、ユーザが携行する携帯端末３０１にコンテンツを表示させる。
【００５５】
＜携帯端末３０１＞
図１５（Ａ）に示すように、携帯端末３０１は、制御部３１０と、記憶部３２０と、タッチパネルディスプレイ２５と、ＧＰＳ（Ｇｌｏｂａｌ  Ｐｏｓｉｔｉｏｎｉｎｇ  Ｓｙｓｔｅｍ）アンテナ３２８と、通信インタフェース部２９とを備える。
制御部３１０は、位置情報取得部３１１と、情報送信部３１３と、コンテンツ受信部１４と、利用判定部３１７（利用判定手段）と、コンテンツ制御部１８と、ログ情報送信部１９とを備える。
位置情報取得部３１１は、ＧＰＳアンテナ３２８を介して受信したＧＰＳ信号に基づいて、携帯端末３０１の位置情報を取得する。
情報送信部３１３は、コンテンツ管理サーバ３０４に対して、コンテンツを選定するために必要な各種の情報を送信する。各種の情報は、例えば、ユーザＩＤと位置情報とである。
利用判定部３１７は、携帯端末３０１の位置に応じて、コンテンツをタッチパネルディスプレイ２５に表示させるか否かを判定する。そして、利用判定部３１７は、携帯端末３０１の位置が所定の位置であると判定した場合に、コンテンツを表示させると判定する。
【００５６】
記憶部３２０は、プログラム記憶部３２１と、コンテンツ記憶部２２とを備える。プログラム記憶部３２１は、携帯端末３０１の制御部３１０が実行する各種機能を実行するための表示プログラム３２１ａを記憶している。
ＧＰＳアンテナ３２８は、ＧＰＳ衛星（図示せず）によって送信されるＧＰＳ信号を受信するアンテナである。ＧＰＳアンテナ３２８は、受信したＧＰＳ信号を、位置情報取得部３１１に送る。
【００５７】
＜コンテンツ管理サーバ３０４＞
図１５（Ｂ）に示すように、コンテンツ管理サーバ３０４は、制御部３４０と、記憶部３５０と、通信インタフェース部５９とを備える。
制御部３４０は、情報受信部３４１と、コンテンツ選定部３４２と、コンテンツ送信部４３と、ログ情報受信部４５と、ログ情報分析部４６とを備える。
情報受信部３４１は、携帯端末３０１から各種の情報を受信する。
コンテンツ選定部３４２は、携帯端末３０１から受信した各種の情報に基づいて、コンテンツＤＢ５１に記憶されている複数のコンテンツから、コンテンツを１つ以上選択する。
ここで、コンテンツ選定部３４２は、ユーザのログ情報を分析した分析結果に基づいて、コンテンツを決定してもよい。また、コンテンツ選定部３４２は、位置情報に基づいて、コンテンツを決定してもよい。
【００５８】
記憶部３５０は、コンテンツＤＢ５１と、ユーザ情報記憶部５２と、ログ情報記憶部５４と、位置情報記憶部３５６とを備える。
位置情報記憶部３５６は、位置情報と、その位置に関連する情報とを記憶する。位置に関連する情報とは、どのような位置であるかを示す情報であり、例えば、自動販売機の付近である、とか、どのような種類のアトラクションの行列位置であるか、といった情報である。ここで、位置情報記憶部３５６に記憶させる位置情報としては、休憩所、待ち合わせスポット等である。
【００５９】
＜処理の説明＞
次に、コンテンツ表示システム３００による処理について説明する。
図１６及び図１７は、第３実施形態に係るコンテンツ表示システム３００のコンテンツ表示処理を示すフローチャートである。
図１８は、第３実施形態に係るコンテンツ管理サーバ３０４のコンテンツ選定処理を示すフローチャートである。
図１６を始めるにあたっての事前処理及び図１６のＳ３１０の処理は、第１実施形態での説明及び図５のＳ１０の処理と同様である。
【００６０】
Ｓ３１１において、携帯端末３０１の制御部３１０（位置情報取得部３１１）は、ＧＰＳアンテナ３２８を介してこの携帯端末３０１の位置情報を取得する。
Ｓ３１２において、制御部３１０（情報送信部３１３）は、各種の情報を、コンテンツ管理サーバ３０４に対して送信する。各種の情報は、例えば、ユーザＩＤ及び位置情報である。その後、制御部３１０は、処理をＳ３１４に移す。
【００６１】
Ｓ３３０において、コンテンツ管理サーバ３０４の制御部３４０（情報受信部３４１）は、携帯端末３０１が送信した各種の情報を受信する。
Ｓ３３１において、制御部３４０は、受信した各種の情報に含まれる位置情報が、コンテンツを配信する位置であるか否かを判断する。具体的には、制御部３４０は、受信した各種の情報に含まれる位置情報が、位置情報記憶部３５６の位置情報に含まれるか否かによって、コンテンツを配信する位置であるか否かを判断する。コンテンツを配信する位置である場合（Ｓ３３１：ＹＥＳ）には、制御部３４０は、処理をＳ３３２に移す。他方、コンテンツを配信する位置ではない場合（Ｓ３３１：ＮＯ）には、制御部３４０は、本処理を終了する。
Ｓ３３２において、制御部３４０（コンテンツ選定部３４２）は、コンテンツ選定処理を行う。
【００６２】
ここで、コンテンツ選定処理について、図１８に基づき説明する。
図１８のＳ３４０において、制御部３４０は、受信した各種の情報に含まれるユーザＩＤを含むログ情報を、ログ情報記憶部５４から抽出する。
Ｓ３４１において、制御部３４０（ログ情報分析部４６）は、抽出したログ情報を分析し、分析結果を生成する。ここで生成される分析結果は、例えば、過去のこのユーザのコンテンツの内容や量が適切であったか否かに関するものである。
Ｓ３４２において、制御部３４０は、ログ情報の分析結果及び位置情報に基づいて、コンテンツＤＢ５１から１つ以上のコンテンツを選定する。ここで、制御部３４０は、位置情報記憶部３５６を参照し、位置情報に対応する位置に関する情報を用いて、その位置にちなんだコンテンツを選定してもよい。また、制御部３４０は、このユーザに配信していない内容のコンテンツを選定してもよい。その後、制御部３４０は、本処理を終了し、処理を図１６に移す。
図１６に戻り、Ｓ３３３の処理は、第１実施形態（図５）のＳ３２の処理と同様である。その後、制御部３４０は、処理を図１７のＳ３３４に移す。
【００６３】
Ｓ３１４において、携帯端末３０１の制御部３１０（コンテンツ受信部１４）は、コンテンツを受信したか否かを判断する。コンテンツを受信した場合（Ｓ３１４：ＹＥＳ）には、制御部３１０は、処理をＳ３１５に移す。他方、コンテンツを受信していない場合（Ｓ３１４：ＮＯ）には、制御部３１０は、処理をＳ３１１に移す。コンテンツを受信していない場合は、例えば、携帯端末３０１が送信した位置情報が、コンテンツを配信する位置ではなかった場合である。
Ｓ３１５において、制御部３１０は、受信したコンテンツを、コンテンツ記憶部２２に記憶させる。
Ｓ３１６において、制御部３１０（利用判定部３１７、コンテンツ制御部１８）は、コンテンツ記憶部２２に記憶されたコンテンツを、タッチパネルディスプレイ２５に対して出力する。この処理により、携帯端末３０１のタッチパネルディスプレイ２５には、コンテンツが表示される。
【００６４】
図１７のＳ３１７において、制御部３１０（位置情報取得部３１１）は、ＧＰＳアンテナ３２８を介してこの携帯端末３０１の位置情報を取得する。
Ｓ３１８において、制御部３１０（情報送信部３１３）は、各種の情報を、コンテンツ管理サーバ３０４に対して送信する。各種の情報は、例えば、ユーザＩＤ及び新たに取得した位置情報である。その後、制御部３１０は、処理をＳ３２０に移す。
Ｓ３３４において、コンテンツ管理サーバ３０４の制御部３４０（情報受信部３４１）は、携帯端末３０１が送信した各種の情報を受信する。
Ｓ３３５において、制御部３４０は、受信した各種の情報に含まれる位置情報が、コンテンツを配信する位置であるか否かを判断する。コンテンツを配信する位置である場合（Ｓ３３５：ＹＥＳ）には、制御部３４０は、処理をＳ３３４に移す。他方、コンテンツを配信する位置ではない場合（Ｓ３３５：ＮＯ）には、制御部３４０は、処理をＳ３３６に移す。
Ｓ３３６において、制御部３４０は、指示データを、携帯端末３０１に対して送信する。ここで、指示データは、コンテンツを非表示にする制御をするためのデータである。その後、制御部３４０は、処理をＳ３３８に移す。
【００６５】
Ｓ３２０において、携帯端末３０１の制御部３１０は、指示データを受信したか否かを判断する。指示データを受信した場合（Ｓ３２０：ＹＥＳ）には、制御部３１０は、処理をＳ３２１に移す。他方、指示データを受信していない場合（Ｓ３２０：ＮＯ）には、制御部３１０は、処理をＳ３１７に移す。
Ｓ３２１において、制御部３１０（利用判定部３１７、コンテンツ制御部１８）は、タッチパネルディスプレイ２５に対してコンテンツを出力しないように制御する。
Ｓ３２２の処理並びにＳ３３８及びＳ３３９の処理は、第１実施形態（図６）のＳ２１並びにＳ３４及びＳ３５の処理と同様である。
【００６６】
このように、第３実施形態のコンテンツ表示システム３００によれば、以下のような効果がある。
（１）携帯端末３０１は、予め設定されている範囲に位置する場合に、コンテンツを表示するので、位置によって、コンテンツを表示させることができる。そして、表示させるコンテンツを、位置に関する情報にすることで、ユーザに対してコンテンツの内容に興味を持たせるようにできる。
（２）携帯端末３０１に表示させるコンテンツを、毎回異なるものにすることで、ユーザに毎回見てもらえるようにできる。
【００６７】
以上、本発明の実施形態について説明したが、本発明は上述した実施形態に限定されるものではない。また、実施形態に記載した効果は、本発明から生じる最も好適な効果を列挙したに過ぎず、本発明による効果は、実施形態に記載したものに限定されない。なお、上述した実施形態及び後述する変形形態は、適宜組み合わせて用いることもできるが、詳細な説明は省略する。
【００６８】
（変形形態）
（１）第１実施形態では、駅構内に設けられたビーコン端末の電波を受信することで、ビーコン電波から出発地情報を取得するものとして説明したが、これに限定されない。例えば、駅構内であることを、ＧＰＳを用いた位置情報を取得することによって得るようにしてもよい。
（２）第１実施形態では、目的地情報をユーザが入力するものを例に説明したが、これに限定されない。例えば、特急券等のチケット情報を記憶したサーバと、コンテンツ管理サーバとを連動させることで、目的地情報を得るようにしてもよい。
（３）第１実施形態では、ビーコン端末からの電波を受信することによって電車を利用中であることを判定するものを例に説明したが、これに限定されない。電波を発信するものであればよく、例えば、ｗｉ−ｆｉルータや、ＩＣ（Ｉｎｔｅｇｒａｔｅｄ  Ｃｉｒｃｕｉｔ）タグ等であってもよい。
【００６９】
（４）第１実施形態では、電車に設けられたビーコン端末からの電波を受信している間を、電車を利用中であるとして判断する例を説明したが、これに限定されない。例えば、駅構内にいる間を含めるようにしてもよい。
また、駅構内にいるときには、利用状態が「待機中」であるとし、電車等に乗車中のときには、利用状態が「利用中」であるとして、「待機中」と「利用中」との場合で、表示可能なコンテンツを変えてもよい。例えば、「待機中」には、数分程度で読み終えられる量のコンテンツを表示させ、「利用中」には、「待機中」では表示させない特別なコンテンツを表示させる等である。さらに、「待機中」の時間の長さによって、「利用中」のコンテンツを変えてもよい。例えば、「待機中」が長いほど、「利用中」に表示可能なコンテンツを、特別なコンテンツにする等である。
また、駅構内にもいくつかの場所にビーコン端末を設置し、その位置に応じてコンテンツを変えてもよい。例えば、普通電車のホームと、特急電車等の特別電車のホームとでは、コンテンツのジャンル、ページ数、コンテンツ数を変えてもよい。
【００７０】
（５）第１実施形態では、利用中の電車による区別について特段の記載をしていないが、ビーコンＩＤによって利用中の電車に区別を設けてもよい。例えば、特急電車等、乗車するにあたって課金が必要な電車であれば、特別な（特典を有する）コンテンツを表示可能にしてもよい。また、同じ電車であっても、車両によってコンテンツを変えるようにしてもよい。つまり、ビーコンＩＤによって車両特定手段が車両を特定し、乗車位置コンテンツ選定手段が、特定された車両に基づいて、車両に関連付けられたコンテンツから１つ以上のコンテンツを選定してもよい。この処理により、例えば、車両ごとに異なるコンテンツのジャンル、ページ数、コンテンツ数を提供したり、グリーン車であれば、グリーン車だけ特別なコンテンツを提供してもよい。
【００７１】
（６）第２実施形態では、乗車時にバスに設けられた読書装置と通信をすることで、携帯端末にコンテンツを表示させるものを例に説明したが、これに限定されない。乗車時だけではなく、降車時にも、読書装置と通信をさせるようにしてもよい。そのようにすれば、実際にバスに乗車している間にのみコンテンツを表示させるようにできる。
また、バスに限定するものではなく、例えば、駅の改札に設けられた入場ゲートを備えた改札機に、読書装置の機能を持たせることで、電車であっても同様に行うことができる。この場合には、入場ゲートを通過したか否かを検知して、電車を利用中であるかを判定することで、駅の改札を入ってから出るまでの間を、電車を利用中として、コンテンツを表示させることができる。
（７）第２実施形態では、バスに乗車してから一定時間内であればコンテンツを表示させるものを例に説明したが、これに限定されない。例えば、移動距離に応じてコンテンツを表示させるようにしてもよい。具体的には、移動情報算出手段が、位置情報を取得可能なＧＰＳアンテナ等を携帯端末に有し、乗車した際に位置情報を取得し、その後、逐次位置情報を取得して、移動距離（移動情報）を算出する。そして、移動距離が一定距離内であればコンテンツを表示させるものとする。このようにすることで、バスのように渋滞等で時間通りに移動できないものであっても、バスの利用中にコンテンツを表示させることができる。
また、移動距離に限らず、移動速度（移動情報）に応じてコンテンツを表示させるようにしてもよい。移動速度に応じてコンテンツを表示させることで、移動速度が歩行速度と異なれば、バスを利用中であると判断でき、実際にバスに乗車している間にのみコンテンツを表示させることが可能になる。
【００７２】
（８）第３実施形態では、位置情報をＧＰＳにより取得するものとして説明した。しかし位置情報に代えて、ビーコン端末からの電波を受信可能な範囲としてもよい。その場合には、ビーコン電波の電波強度によって、コンテンツの表示及び非表示を切り替えるようにしてもよい。また、ビーコン電波の電波強度によって、表示させるコンテンツを変えてもよい。
（９）第３実施形態では、位置情報によって、その位置にちなんだ内容のコンテンツを選定するものを例として説明したが、これに限定されない。位置にちなんで、コンテンツの量を考慮してもよい。その際、例えば、位置情報記憶部に、その位置に関連する情報として、コンテンツの量に関する情報を記憶させればよい。そして、そのコンテンツの量に関する情報としては、例えば、自動販売機の付近である場合には、５分程度で読めるコンテンツ量とし、アトラクションの行列位置である場合には、位置と、コンテンツ量とを対応づけておき、例えば、行列の最後尾の位置であれば、１時間程度のコンテンツ量とすればよい。
【００７３】
（１０）各実施形態では、交通機関として、電車やバスを例に説明したが、これに限定されない。タクシーや、飛行機等、様々な交通機関であってもよい。
（１１）各実施形態では、様々な情報を用いてコンテンツを選定するものを説明したが、これに限定されない。コンテンツの選定に関しては、一例であって、各実施形態での処理を組み合わせたり、一部の処理を削除したりしてもよい。
また、サービスの利用量や、利用頻度を利用履歴情報として記憶した利用履歴記憶部を用いて、利用履歴情報からコンテンツの内容や量を選定してもよい。具体的には、電車等の交通機関を利用する際に購入した乗車券の購入金額、電子マネー等で交通機関を利用する場合のチャージ金額等の情報を、利用履歴情報にする。これらの利用履歴情報は、他のサーバに有するものであってもよいし、リーダライタ部により取得できるものや、携帯端末に記憶されたものであってもよい。そして、利用頻度が高ければ、コンテンツの内容を随時変更するようにしてもよい。また、利用履歴情報と、ログ情報とを関連させて、利用者が気に入ったジャンルを把握し、そのジャンルのコンテンツの内容にしてもよい。
【００７４】
（１２）各実施形態では、携帯端末と、コンテンツ管理サーバとによって各種の処理を行うものを説明した。しかし、携帯端末と、コンテンツ管理サーバとの処理は、これに限定されない。例えば、携帯端末で行っている処理について、一部の処理をコンテンツ管理サーバで行うようにしてもよいし、コンテンツ管理サーバで行っている一部又は全ての処理について、携帯端末で行うようにしてもよい。
【符号の説明】
【００７５】
１，２０１，３０１  携帯端末
４，２０４，３０４  コンテンツ管理サーバ
６，７  ビーコン端末
１０，２１０，３１０  制御部
１１  電波受信部
１２  目的地情報受付部
１３，２１３，３１３  情報送信部
１４  コンテンツ受信部
１７，２１７，３１７  利用判定部
１８  コンテンツ制御部
２１ａ，２２１ａ，３２１ａ  表示プログラム
２２  コンテンツ記憶部
２５  タッチパネルディスプレイ
４０，２４０，３４０  制御部
４１，２４１，３４１  情報受信部
４２，２４２，３４２  コンテンツ選定部
４３  コンテンツ送信部
４５  ログ情報受信部
４６  ログ情報分析部
５１  コンテンツＤＢ
５２  ユーザ情報記憶部
５３  ビーコン記憶部
５４  ログ情報記憶部
１００，２００，３００  コンテンツ表示システム
２０６  読書装置
２１１  受信部
２２７  リーダライタ部
２５５  バス情報記憶部
２６８  リーダライタ部
３１１  位置情報取得部
３２８  ＧＰＳアンテナ
３５６  位置情報記憶部
Ｂ    基地局
Ｎ    通信ネットワーク
Ｒ    駅構内
Ｔ１  電車
Ｔ２  バス
【図１】
2018082337.tif 000003
【図２】
2018082337.tif 000004
【図３】
2018082337.tif 000005
【図４】
2018082337.tif 000006
【図５】
2018082337.tif 000007
【図６】
2018082337.tif 000008
【図７】
2018082337.tif 000009
【図８】
2018082337.tif 000010
【図９】
2018082337.tif 000011
【図１０】
2018082337.tif 000012
【図１１】
2018082337.tif 000013
【図１２】
2018082337.tif 000014
【図１３】
2018082337.tif 000015
【図１４】
2018082337.tif 000016
【図１５】
2018082337.tif 000017
【図１６】
2018082337.tif 000018
【図１７】
2018082337.tif 000019
【図１８】
2018082337.tif 000020